(57)【特許請求の範囲】
【請求項１】
シート状の壁装材を本体部の後方から引き入れて前方から引き出す間に、該壁装材の裏面に糊を塗布する壁紙糊付機において、
搬送される壁装材の側縁部を裁断する単独回転刃と、該回転刃を軸支するシャフトと、前記回転刃をシャフトに固定するボス部と、前記回転刃を軸支したシャフトを回転駆動する回転駆動手段を備えたモータユニットと、を備え、
前記単独回転刃は壁装材の裏面から裁断するものであり、
前記回転刃と、前記シャフトと、前記ボス部とは回転刃内蔵カートリッジに収納されており、
前記回転刃内蔵カートリッジは、前記回転刃の刃部周囲を囲む防護壁を有し、前記モータユニットと着脱可能に一体とされて壁紙裁断装置を構成し、
前記単独回転刃を固定した状態で前記ボス部が、前記シャフトと相対移動不能に構成され、
前記壁紙裁断装置が糊付機本体部の背面上部に掛止されたことを特徴とする壁紙糊付機。
【請求項２】
壁紙糊付機本体部の背面上部に装着される壁紙裁断装置の回転駆動手段を備えたモータユニットに着脱可能に装着される回転刃内蔵カートリッジであって、
前記モータユニットの非回転部分に対して相対回転不能且つ着脱可能に取り付けられるハウジングと、
該ハウジングに枢支され、前記モータユニットの回転駆動で回動するシャフトと、
該シャフトに軸支されてハウジング内に収納された単独回転刃と、
前記モータユニットの回転軸と着脱可能に連結するために前記シャフトの一端に設けられた継手手段と、を備え、
前記ハウジングには回転刃の刃部周囲を囲む防護壁が設けられ、該防護壁には裁断対象の壁紙を回転刃部分に通すためのスリットが設けられ、
前記単独回転刃は、壁装材の裏面に押しつけられて壁装材の側縁部を裁断するものであり、
前記単独回転刃のシャフトへの軸支は、前記シャフトには、ボスの雌ねじ部と締着される雄ねじ部が設けられており、内壁に雌ねじ部が設けられた円筒形状のボスの雌ねじ部とシャフトの雄ねじ部とを締着することにより間に挟持された回転刃がシャフトに垂直に固定されることを特徴とする壁紙裁断装置用回転刃内蔵カートリッジ。
【発明の詳細な説明】
【０００１】
【発明の属する技術分野】
本発明は、例えば屋内の壁面にシート状壁装材を貼り付ける際に長尺の壁装材の裏面に糊を連続的に塗布する壁紙糊付機に関するものであり、特に壁装材を、その側縁部を切断して所定幅に調整してから糊付機へ供給するための裁断装置及び裁断装置用の回転刃内蔵カートリッジに関するものである。
【０００２】
【従来の技術】
従来から、壁紙糊付機の後方から引き入れられた長尺シート状の壁装材の裏面に糊を塗布して前方から引き出すに先立って、壁紙糊付機の本体部にフック等で取り付けられた壁紙裁断装置により、壁装材の側縁部をその搬送方向に沿って予め剪断し、所望の壁装材幅に調整していた。
【０００３】
従来の一般的な壁紙糊付機用の壁紙裁断装置は、壁装材の搬送方向に対して直交方向に沿って平行に設けられた上下シャフトの対向位置に、上下一対の互いに向き合った片刃状の回転刃を構成するオーバーカッター（上刃）とアンダーカッター（下刃）とがそれぞれ軸支されており、駆動モータによりこの一対のカッターを互いに逆回転させて壁装材を上下から挟んで剪断していた。
【０００４】
或いは、両刃の単独回転刃をシャフトに軸支し、搬送される壁装材に片面側から刃先を押しつけた状態で、駆動モータにより回転刃を回転駆動させて壁装材を剪断していた。
【０００５】
【発明が解決しようとする課題】
しかしながら、このような従来の壁紙裁断装置では、回転刃が外部にむき出しになっているため、作業者が作業中に外部から回転刃に手を触れることもでき、安全性に欠けるという問題がある。
【０００６】
特に、回転刃を交換する場合には、直接回転刃に触れて回転刃を取り外すことが必要があり、この際作業者が刃部に触れることにより怪我をする危険性がある。  また、回転刃を交換する際には、回転刃をシャフトやモータの回転軸から取り外さなければならず、回転刃の交換作業が困難であるという問題がある。
【０００７】
本発明は、このような問題点に鑑みてなされたものであり、回転刃の刃部周囲を防護壁で囲むことにより、安全性に優れた壁紙糊付機及び壁紙裁断装置を提供することを主な目的とする。また、本発明の別の目的は、回転刃をカートリッジごと着脱可能とすることにより、交換作業の簡易な壁紙糊付機、壁紙裁断装置及び回転刃内蔵カートリッジを提供することである。
【０００８】
【課題を解決するための手段】
上記目的を達成するため、請求項１に係る発明は、シート状の壁装材を本体部の後方から引き入れて前方から引き出す間に、該壁装材の裏面に糊を塗布する壁紙糊付機において、
搬送される壁装材の側縁部を裁断する単独回転刃と、該回転刃を軸支するシャフトと、前記回転刃をシャフトに固定するボス部と、前記回転刃を軸支したシャフトを回転駆動する回転駆動手段を備えたモータユニットと、を備え、
前記単独回転刃は壁装材の裏面から裁断するものであり、
前記回転刃と、前記シャフトと、前記ボス部とは回転刃内蔵カートリッジに収納されており、
前記回転刃内蔵カートリッジは、前記回転刃の刃部周囲を囲む防護壁を有し、前記モータユニットと着脱可能に一体とされて壁紙裁断装置を構成し、
前記単独回転刃を固定した状態で前記ボス部が、前記シャフトと相対移動不能に構成され、
前記壁紙裁断装置が糊付機本体部の背面上部に掛止されたことを特徴とするものである。
【０００９】
本発明では、回転刃と、シャフトと、ボス部とは回転刃内蔵カートリッジに収納されており、該カートリッジは回転刃の刃部周囲を囲む防護壁を有しているため、作業者は作業中に外部から回転刃に手を触れることはできない。このため、回転刃に接触して怪我をする危険性もなく安全性を図ることが可能となる。
【００１０】
また、本発明では、回転刃内蔵カートリッジは回転駆動手段と着脱可能であるため、作業者は回転刃に触れることなくカートリッジごと回転駆動手段から取り外して回転刃を交換することができる。このため、回転刃を直接回転駆動手段の回転軸から取り外さなければならない従来の装置に比較して、回転刃の交換作業が簡易なものとなる。
【００１１】
本発明の回転刃内蔵カートリッジは、回転駆動手段と着脱可能であり、回転刃の刃部周囲を囲む防護壁が設けられていればその構成は特に限定されるものではない。例えば、防護壁以外の部分に壁装材を導入する開口を設けることが好ましい。
【００１２】
なお、回転刃の駆動手段としては、回転刃の支軸に小型モータの出力回転軸を連結する構成が簡便なものとして挙げられる。あるいは、糊付機が電動モータで駆動する場合には、その動力を使用することができる。刃の回転方向は、壁装材搬の搬送方向に対して逆向きでも良いが、この場合、壁装材の抵抗摩擦が大きいと比較的低速の回転では真っ直ぐな裁断を維持することが難しくなる。特に、手動糊付機の場合、搬送速度が常に一定とは限らない場合には蛇行が生じやすくなるため、壁装材の搬送方向と刃の回転方向とを一致させることが好ましい。
【００１３】
また、本発明には切断された壁装材側縁部を、糊付機本体部内へ引き入れられる壁装材本体とは別経路へ導出する誘導板を設けることが好ましい。この場合には、裁断された壁装材の側縁部が、誘導板によって糊付機本体内部へ導入されることが回避されるので、糊付機の破損を防止することができる。
【００１４】
なお、回転刃は、壁装材の上側（表面側）、下側（裏面側）のいずれに位置するものでも良い。ただし、例えば塩化ビニール製の壁装材では、刃の回転摩擦熱で比較的溶けやすく、切断部が平滑にならず荒れてしまう場合がある。このような切断荒れは主に回転刃の当接側に現れるため、表面側から切断するとその荒れた部分が後で壁紙を壁面に張り付けた際に露出して目立ってしまうことから、壁装材の裏面から、即ち下側から裁断することがより好ましい。
【００１５】
また、回転刃の回転速度が速いほど壁装材は切断しやすくなるため、対象となる壁装材の厚みや硬度に応じて回転速度を速くするなど、回転駆動手段による回転刃の回転を任意の速度に変更できる速度調節機構を設けることが望ましい。
【００１６】
なお、本発明における壁紙糊付機は、いわゆる手動のものでも電動モータなどの駆動力を利用する自動のものでも良い。
【００１７】
ボス部に回転刃を固定した状態で、ボス部をシャフトと相対移動不能に構成すれば、回転刃を回転させた場合の振れを防止できるという利点がある。即ち、従来の壁紙裁断装置では、図７（ａ）に示すように、回転刃７０２を取り付けたボス部７０４をシャフト７０１上でスライドさせ、所望の位置で固定ねじ７０３によりボス部７０４をシャフト７０１に固定することにより回転刃７０２の位置決めを行うようになっている。このため、ボス部７０４の内径はシャフト外径よりも大きく形成しており、ボス部７０４とシャフト７０１の間には隙間が存在する。このため、図７（ｂ）に示すように、ボス部７０４を固定ねじ７０３でシャフト７０１に固定する際に、回転刃７０２がシャフト７０１に対して傾いて固定されてしまう（垂直に固定できない）場合があり、この状態で回転刃７０２を回転させると回転刃７０２が左右に振れてしまい、壁装材側縁部を真っ直ぐに裁断できないという問題があった。
【００１８】
回転刃を固定した状態でボス部をシャフトと相対移動不能に構成すれば、回転刃をシャフトに垂直に固定した状態を維持することができ、回転刃の位置決めを行う場合には、この状態で回転刃内蔵カートリッジを回転駆動手段と一体でスライドさせれば良いので、従来の装置のように回転刃が傾くことはない。従って、回転刃を回転させても回転刃が左右に振れることを回避でき、壁装材側縁部を真っ直ぐに裁断することができる。
【００１９】
また好ましい壁紙裁断装置は、壁紙糊付機本体に着脱可能に構成され、シート状の壁装材を搬送しながら搬送方向に沿って壁装材の側縁部を裁断する壁紙裁断装置において、搬送される壁装材を裁断する単独回転刃と、前記回転刃の刃部周囲を囲む防護壁と、を備えたことを特徴とするものである。
【００２０】
この壁紙裁断装置では、単独回転刃の刃部周囲を囲む防護壁を備えているので、作業者は作業中に外部から回転刃に手を触れることはできない。このため、回転刃に接触して怪我をする危険性もなく安全性を図ることが可能となる。
【００２１】
この壁紙裁断装置は、単独回転刃の刃部周囲を囲む防護壁を備えていればよく、その構成は特に限定しない。
【００２２】
更に好ましい壁紙裁断装置は、壁紙糊付機本体に着脱可能に構成され、シート状の壁装材を搬送しながら搬送方向に沿って壁装材の側縁部を裁断する壁紙裁断装置において、搬送される壁装材を裁断する単独回転刃と、該回転刃を軸支するシャフトと、前記回転刃をシャフトに固定するボス部と、前記回転刃を駆動させる回転駆動手段と、を備え、前記回転刃と、前記シャフトと、前記ボス部とは回転刃内蔵カートリッジに収納されており、前記回転刃内蔵カートリッジは、前記回転刃の刃部周囲を囲む防護壁を有し、前記回転駆動手段と着脱可能であることを特徴とするものである。
【００２３】
この壁紙裁断装置は、請求項１に係る発明と同様の作用効果を奏する。また、この壁紙裁断装置は、糊付機本体と着脱可能であるので、壁紙糊付機へ供給する壁装材の側縁部を切断して幅調整を行う必要があるときは、糊付機本体部へ裁断装置を取付ける。一方、壁装材の切断が必要ない場合や、装置の運搬時には、裁断装置を取り外せば扱いが簡便である。
【００２４】
ボス部に回転刃を固定した状態で、ボス部をシャフトと相対移動不能に構成してもよい。この場合には、請求項１に係る発明で説明したのと同様に、回転刃を回転させても回転刃が左右に振れることを回避でき、壁装材側縁部を真っ直ぐに裁断することができるという利点がある。
【００２５】
請求項２に係る発明は、壁紙糊付機本体部の背面上部に装着される壁紙裁断装置の回転駆動手段を備えたモータユニットに着脱可能に装着される回転刃内蔵カートリッジであって、
前記モータユニットの非回転部分に対して相対回転不能且つ着脱可能に取り付けられるハウジングと、
該ハウジングに枢支され、前記モータユニットの回転駆動で回動するシャフトと、
該シャフトに軸支されてハウジング内に収納された単独回転刃と、
前記モータユニットの回転軸と着脱可能に連結するために前記シャフトの一端に設けられた継手手段と、を備え、
前記ハウジングには回転刃の刃部周囲を囲む防護壁が設けられ、該防護壁には裁断対象の壁紙を回転刃部分に通すためのスリットが設けられ、
前記単独回転刃は、壁装材の裏面に押しつけられて壁装材の側縁部を裁断するものであり、
前記単独回転刃のシャフトへの軸支は、前記シャフトには、ボスの雌ねじ部と締着される雄ねじ部が設けられており、内壁に雌ねじ部が設けられた円筒形状のボスの雌ねじ部とシャフトの雄ねじ部とを締着することにより間に挟持された回転刃がシャフトに垂直に固定されることを特徴とするものである。
【００２６】
本発明では、ハウジングに回転刃の刃部周囲を囲む防護壁が設けられているので、回転駆動手段によって回転中の回転刃に外部から手を触れることはできない。このため、回転刃に接触して怪我をする危険性もなく安全性を図ることが可能となる。
【００２７】
尚、回転刃の刃部周囲は防護壁で囲まれているが、防護壁に設けられたスリットによって、搬送される壁装材を回転刃に導入して側縁部を切断し、切断後は防護壁外部へ導出することができる。
【００２８】
また、本発明では回転刃を軸支するシャフトの一端に、回転駆動手段の回転軸と着脱可能に連結するための継手手段が設けられている。即ち、継手手段によって、回転刃が防護壁に囲まれた状態のままカートリッジ毎裁断装置の回転駆動手段と着脱可能となっている。このため、回転刃を交換する場合には、直接回転刃に手を触れて回転駆動手段から取り外したり取り付けたりするという煩雑な作業を要せず、単に継手手段を回転駆動手段の回転軸から外してカートリッジごと取り外し、新たなカートリッジごと継手手段によって回転駆動手段の回転軸と連結すればよい。このため、回転刃の交換作業を安全かつ簡易に行うことが可能である。
【００２９】
本発明の継手手段は、裁断装置の回転駆動手段の回転軸と着脱可能に連結するものであればその構成は特に限定されるものではない。例えば、継手手段として、シャフト端部を回転駆動手段の回転軸と相対回転不可能に嵌合する非円形断面形状のソケット構造に構成することができる。
【００３０】
また、回転刃を固定するボス部を設け、回転刃をボス部に固定した状態でボス部をシャフトと相対移動不能に構成してもよい。この場合には、請求項１に係る発明で説明したのと同様に、回転刃を回転させても回転刃が左右に振れることを回避でき、壁装材側縁部を真っ直ぐに裁断することができるという利点がある。
【００３１】
【発明の実施の形態】
以下に、本発明の一実施の形態による壁紙裁断装置の概略構成を図１に示す。図１は、本実施形態の裁断装置の側面透視図であり、図５は、本実施形態の裁断装置を壁紙糊付機本体部に取付けた状態を示す側面透視図である。本裁断装置は、本発明の回転駆動手段を構成する駆動モータを有するモータユニットＭと、該モータユニットＭと着脱可能な回転刃内蔵カートリッジＣとから概略構成される。図２は、本裁断装置の平面図であり、回転刃内蔵カートリッジＣをモータユニットＭから取り外した状態を示している。図３は、本実施形態の回転刃内蔵カートリッジＣを分解した状態を示す説明図であり、図４は本実施形態の回転刃内蔵カートリッジＣの側面図である。図６は、回転刃をボスによってシャフトに固定した状態を示す拡大構成図である。
【００３２】
本実施形態の回転刃内蔵カートリッジＣは、図２、図３及び図４に示すように、ハウジング２内に、回転刃７と、回転刃７を軸支するシャフト３２と、回転刃７をシャフト３２に固定するボス５と、シャフト３２を挿通しボス５とハウジング２とを固定するためのブッシュ４とが内蔵されている。
【００３３】
ハウジング２は、カートリッジＣの外殻を形成するものであり、図４に示すように、その側面にはシャフト３２を固定するための孔部３５ａと、モータユニットＭを固定するための２個の孔部３５ｂ，３５ｃが設けられている。
【００３４】
回転刃７は、薄円板形状の両刃ディスクとすることが好ましく、下方から壁装材の裏面に押しつけられて後述する駆動モータの回転駆動力によって壁装材１１（以下、「クロス」という。）の側縁部を裁断するようになっている。
【００３５】
ブッシュ４は円筒形状であり、その内部をシャフト３２が挿通可能となっている。ボス５も円筒形状であり、その内壁には雌ねじ部３４が設けられている。シャフト３２には、ボス５の雌ねじ部３４と締着される雄ねじ部３３が設けられており、シャフト３２端部には駆動モータの回転軸６と連結される連結部３９が設けられている。
【００３６】
ハウジング２内に回転刃７を収納するためには、まず、シャフト３２に回転刃７、ボス５を挿通し、ボス５の雌ねじ部３４とシャフト３２の雄ねじ部３３とを締着する。これにより回転刃７がボス５によってシャフト３２に固定される。この状態で、シャフト３２を更にブッシュ４に挿通し、回転刃７を固定したシャフト３２をブッシュ４ごとハウジング２の芯孔３５ａ内に嵌める。そして、ハウジング２外壁からビス３６ａをシャフト３２端面（連結部３９のある端面と反対側の端面）に締着する。これにより回転刃内蔵カートリッジＣ内に回転刃７が収納されるようになっている。
【００３７】
シャフト３２の連結部３９は、本発明の継手手段を構成するものであり、駆動モータの回転軸６と相対回転不能に嵌合する孔部３５ｄが設けられている。本実施形態では、孔部３５ｄは単純な円形断面形状のソケット穴であり、モータ回転軸６を差し込んでから止めネジ３６ｃによって相対回転不能にしているが、モータの回転軸と孔部３５ｄとを共に嵌合し合う非円形断面形状のものとすれば止めネジ３６ｃは不要となる。
【００３８】
このように本実施形態の裁断装置１では、図６に示すように、ボス５の雌ねじ部３４とシャフト３２の雄ねじ部３３とを締着することによって回転刃７がシャフト３２に垂直に固定され、この状態で連結部３９にモータＭの回転軸が連結されるので、回転刃７が固定された状態でボス５はシャフト３２と相対移動不能となる。一方、回転刃７の位置決めを行う場合には、この状態で回転刃内蔵カートリッジを連結部３９に連結されたモータＭと一体でスライドさせれば良いので、回転刃７は傾くことはなくシャフトに垂直固定された状態が維持される。従って、モータＭによって回転刃７を回転させても回転刃７が左右に振れることを回避でき、クロス側縁部を真っ直ぐにに裁断することが可能となる。
【００３９】
また、図２及び図３に示すように、ハウジング２の一部は、回転刃７の刃部の周囲を囲む防護壁３を形成している。このため、本実施形態の壁紙裁断装置は、カートリッジＣ外部から回転刃７に接触できない構造となっており、作業の安全性が図れるようになっている。
【００４０】
また、ハウジング２には、クロス１１を回転刃７に通すためのスリット４０が２カ所に設けられている。即ち、外部のクロス１１をスリット４０ａから導入し、側縁部を回転刃７によって裁断した後、裁断後のクロス１１はスリット４０ｂからハウジング２外部へ導出されるようになっている。
【００４１】
更に、ハウジング２には、回転刃７によって裁断されたクロス１１の側縁部１２を糊付機本体外部へ排出するための誘導板８が設けられている。この誘導板８によって、裁断されたクロス１１の側縁部１２は、スリット４０ｂから導出されず、糊付機本体外部へ誘導されるようになっている。
【００４２】
モータユニットＭは、本発明の回転駆動手段を構成するものであり、駆動モータを備えている。駆動モータの回転軸６はシャフト３２の連結部３９と連結されるようになっており、連結された状態で、モータの駆動によりその回転運動が回転軸６、シャフト３２を介して回転刃７へ伝達され、所定回転速度で回転刃７が回転駆動される。また、モータユニットＭの側面の非回転部分には、カートリッジＣの孔部３５ｂ，３５ｃに夫々嵌合する２個のピン３８が突設されている。
【００４３】
回転刃内蔵カートリッジＣは、モータユニットＭと着脱可能に構成されている。回転刃内蔵カートリッジＣをモータユニットＭに取り付ける場合には、次のように行う。まず、連結部３９の孔部３５ｄに駆動モータの回転軸６を嵌め、更にモータユニットＭに突設された２個のピン３８を、ハウジング２の孔部３５ｂ、３５ｃに嵌める。そして、連結部３９側面の穴から止めネジ３６ｃを締着して連結部３９と駆動モータ回転軸６とを固定する。また、ハウジング２側面の各孔部３５ｂ，３５ｃからビス３６ｂ，３６ｃでモータユニットＭのピン３８を締着する。これにより、回転刃内蔵カートリッジＣはモータユニットＭに取り付けられる。
【００４４】
回転刃７を交換する場合には、回転刃内蔵カートリッジＣごとモータユニットＭから取り外す。即ち、ハウジング２の孔部３５ｂ、３５ｃのビス３６ｂ、３６ｃ及びシャフト３２の連結部３９の止めネジ３６ｃを外し、モータユニットＭをハウジング２から、モータの回転軸６をシャフト３２の連結部３９から外し、新たなカートリッジＣを前述と同様に取り付ければよい。このように、回転刃７の交換作業はカートリッジＣごと行えばよいため安全性に優れ、かつ簡易なものとなっている。
【００４５】
以上の如き構成の裁断装置１は、前面側の設けられた係止部９が糊付機本体部２０の背面上部に掛止されることによって取付けられる。ここで示した糊付機本体２０は、従来のものと同様の基本構成を持つ手動壁紙糊付機である。この糊付機本体２０は、上部構体２１と内部に糊桶２３を備えた下部構体２２とで構成され、この上下部構体（２１，２２）内に複数のロールが互いにギアを介して配列されているものである。
【００４６】
主なロールとして、上部構体２１内に、糊付機本体部２０内に後部側から取り込まれたクロス１１に糊付機本体部２０の前部方向への送り出し張力を付与するための押さえステー２４と、クロス１１を上から押さえて追従回転するドライブロール２５とが互いに所定間隔で平行に配列されるように、それぞれ上部構体２１の側板に軸支されている。
【００４７】
また、下部構体２２内には、糊桶２３内に収容されている糊を下方で糊上げし、その上方で搬送されてくるクロス１１の裏面に塗布する糊付ロール２６と、糊付けロール２６に接して糊量を調節するドクターロール２７と、前記ドライブロール２５と共にクロス１１に適度な張力を与えて前部方向へ送り出す均しロール２８とが、互いに所定間隔を持って平行に配列されるように、下部構体２３の側板に軸支されている。
【００４８】
上記裁断装置１によって側縁部を裁断して所定幅に調整されたクロス１１の糊付を行う際には、まず、前記の如く係止部９を糊付機本体部２０に掛止する。
【００４９】
回転刃７の位置固定後、糊付機脚部３０から後方へ伸びているクロス受けブラケット３１に軸支されているクロス原反１０からクロス１１先端を引き出し、壁紙裁断装置１の背面側のオーバーステーとアンダーステーとの間からアンダーステーの上面に沿わせてクロスを装置内部へ引き込み、回転刃７上方を通過させて装置前方から引き出す。
【００５０】
裁断装置１の前方から引出されたクロス１１の先端を、上部構体２１を開けた状態で糊付機本体部２０の前方から垂らすように下部構体２３上に載置した後、上部構体２１を閉めて所定ロール間に挟み込んだ初期設定状態を得る。
【００５１】
初期設定終了後、糊付機の駆動源モータ（不図示）の駆動を開始すると共に、裁断装置１のモータの駆動を開始する。これによって、クロス１１の裁断装置１内の通過に伴う回転刃７の高速回転による側縁部の切断と、該切断による幅調整後のクロス１１の糊付機本体部２０内での糊付が連続的に行われる。
【００５２】
また、上記実施の形態では、壁紙糊付機に別体の裁断装置１を取付ける場合を示したが、回転刃を糊付機に一体的に備え付ける構成としても良い。この場合、回転刃を回転させる駆動手段（上記実施形態におけるモータＭ）は、糊付機側の駆動とは独立して回転刃を速度変更可能に回転させるものとする。
【００５３】
また、上記実施形態では、裁断装置１を手動糊付機に取付けた場合を示したが、自動糊付機に取付け可能であることは言うまでもない。
【００５４】
【発明の効果】
以上説明したとおり、本発明は、回転刃の刃部周囲を囲む防護壁を有しているため、作業中に回転刃に接触して怪我をする危険性もなく安全性を図ることができるという効果を有する。
【００５５】
また、本発明では、回転刃、シャフト、ボス部が回転刃内蔵カートリッジに収納されており、回転刃内蔵カートリッジは回転駆動手段と着脱可能であるため、作業者は回転刃に触れることなくカートリッジ毎回転駆動手段から取り外して回転刃を交換することができ、回転刃の交換作業が簡易であるという効果を有する。
【００５６】
更に、本発明において、ボス部に回転刃を固定した状態で、ボス部をシャフトと相対移動不能に構成すれば、回転刃の振れを防止でき、回転刃を回転させても回転刃が左右に振れることを防止することができ、壁装材側縁部を真っ直ぐに裁断することができるという効果を有する。
【図面の簡単な説明】
【図１】本実施形態としての壁紙裁断装置の概略構成を示す側面透視図である。
【図２】本実施形態の壁紙裁断装置のモータユニットとカートリッジとを取り外した状態を示す平面図である。
【図３】本実施形態の壁紙裁断装置のカートリッジを分解した状態を示す説明図である。
【図４】本実施形態の壁紙裁断装置のカートリッジの側面図である。
【図５】本実施形態の裁断装置を手動壁紙糊付機に取付けた状態を示す側面透視図である。
【図６】本実施形態のカートリッジにおいて、回転刃をボスによってシャフトに固定した状態を示す拡大構成図である。
【図７】従来の裁断装置の回転刃、シャフト、ボスの構成図である。図７（ａ）は回転刃の固定前の状態を示し、図７（ｂ）は回転刃が固定された状態を示す。
【符号の説明】
１：壁紙裁断装置
２：ハウジング
３：防護壁
４：ブッシュ
５，７０４：ボス
６：モータ回転軸
７，７０２：回転刃
８：誘導板
９：係止部
１０：クロス原反
１１：クロス
１２：裁断された側縁部
２０：糊付機本体部
２１：上部構体
２２：下部構体
２３：糊桶
２４：押さえステー
２５：ドライブロール
２６：糊付ロール
２７：ドクターロール
２８：均しロール
３０：糊付機脚部
３１：クロス受けブラケット
３２，７０１：シャフト
３３：雄ねじ部
３４：雌ねじ部
３５ａ：芯孔
３５ｂ，３５ｃ：孔部
３６ａ，３６ｂ：ビス
３６ｃ：止めネジ
３７：ワッシャ
３８：ピン
３９：連結部
４０ａ，４０ｂ：スリット
７０３：固定ねじ
Ｃ：回転刃内蔵カートリッジ
Ｍ：モータユニット
【図１】
0004697906.tif 000002
【図２】
0004697906.tif 000003
【図３】
0004697906.tif 000004
【図４】
0004697906.tif 000005
【図５】
0004697906.tif 000006
【図６】
0004697906.tif 000007
【図７】
0004697906.tif 000008